【手続補正書】
【提出日】平成18年1月20日(2006.1.20)
【手続補正１】
【補正対象書類名】明細書
【補正対象項目名】特許請求の範囲
【補正方法】変更
【補正の内容】
【特許請求の範囲】
【請求項１】
情報記録面が同心円状に分割されて、ビデオ信号及びオーディオ信号の記録領域が形成されるとともに、前記ビデオ信号の編集リストのデータ及び、前記編集リストによる編集結果のビデオ信号に対応する副のオーディオ信号の記録領域が形成されてなり、内周側と外周側とでほぼ等しい線記録密度によりビデオ信号及びオーディオ信号が記録されるディスク状記録媒体をアクセスする編集装置であって、
前記副のオーディオ信号を前記副のオーディオ信号の記録領域に記録するオーディオ記録系と、
前記オーディオ記録系の処理に対応して、前記編集リストに従って、前記ディスク状記録媒体をアクセスして、前記ディスク状記録媒体より前記編集結果のビデオ信号を間欠的に再生し、該再生したビデオ信号を連続して出力するビデオ再生系とを有する
ことを特徴とする編集装置。
【請求項２】
前記オーディオ記録系は、
前記副のオーディオ信号を一時蓄積するオーディオ信号記憶手段と、
前記オーディオ信号記憶手段に蓄積した前記副のオーディオ信号を外部機器に出力するオーディオ信号出力手段と、
前記オーディオ信号記憶手段に蓄積した前記副のオーディオ信号を前記ディスク状記録媒体に記録するオーディオ信号記録手段とを有し、
前記ビデオ再生系は、
前記オーディオ信号記憶手段に前記副のオーディオ信号を一時蓄積する処理において、
又は前記オーディオ信号記憶手段に蓄積した前記副のオーディオ信号を前記出力手段により出力する処理において、
前記編集リストに従って、前記ディスク状記録媒体をアクセスして、前記ディスク状記録媒体より前記編集結果のビデオ信号を間欠的に再生し、該再生したビデオ信号を連続して出力する
ことを特徴とする請求項１に記載の編集装置。
【請求項３】
前記ビデオ再生系は、
前記再生したビデオ信号を一時保持するビデオ信号記憶手段と、
前記ビデオ信号記憶手段に一時保持したビデオ信号を出力するビデオ出力手段とを有し、
前記オーディオ信号記憶手段に前記副のオーディオ信号を一時蓄積する処理において、
又は前記オーディオ信号記憶手段に蓄積した前記副のオーディオ信号を前記出力手段により出力する処理において、
又は前記オーディオ信号記憶手段に一時蓄積した前記副のオーディオ信号を前記ディスク状記録媒体に記録する処理において、
前記副のオーディオ信号に対応する速度により、前記ビデオ信号記憶手段に一時保持したビデオ信号を出力する
ことを特徴とする請求項２に記載の編集装置。
【請求項４】
前記ディスク状記録媒体は、
前記ビデオ信号及びオーディオ信号の記録領域が同心円状に複数の小領域に分割され、各小領域が、外周側より順次循環的に、前記ビデオ信号及びオーディオ信号の記録領域に割り当てられた
ことを特徴とする請求項１に記載の編集装置。
【請求項５】
前記ディスク状記録媒体は、
着脱可能に保持され、所定の撮像装置に装填して、前記ビデオ信号及びオーディオ信号の記録領域にビデオ信号及びオーディオ信号が記録可能に形成された
ことを特徴とする請求項１に記載の編集装置。
【請求項６】
前記ディスク状記録媒体は、
前記ビデオ信号及びオーディオ信号の記録領域が同心円状に複数の小領域に分割され、各小領域が、外周側より順次循環的に、前記ビデオ信号及びオーディオ信号の記録領域に割り当てられた
ことを特徴とする請求項２に記載の編集装置。
【請求項７】
前記ディスク状記録媒体は、
着脱可能に保持され、所定の撮像装置に装填して、前記ビデオ信号及びオーディオ信号の記録領域にビデオ信号及びオーディオ信号が記録可能に形成された
ことを特徴とする請求項２に記載の編集装置。
【請求項８】
前記ディスク状記録媒体は、
前記ビデオ信号及びオーディオ信号の記録領域が同心円状に複数の小領域に分割され、各小領域が、外周側より順次循環的に、前記ビデオ信号及びオーディオ信号の記録領域に割り当てられた
ことを特徴とする請求項３に記載の編集装置。
【請求項９】
前記ディスク状記録媒体は、
着脱可能に保持され、所定の撮像装置に装填して、前記ビデオ信号及びオーディオ信号の記録領域にビデオ信号及びオーディオ信号が記録可能に形成された
ことを特徴とする請求項３に記載の編集装置。
【請求項１０】
内周側と外周側とでほぼ等しい線記録密度によりビデオ信号及びオーディオ信号が記録されるとともに、前記ビデオ信号の編集リストのデータ及び、前記編集リストによる編集結果のビデオ信号に対応する副のオーディオ信号の記録領域が形成されてなるディスク状記録媒体をアクセスする編集装置であって、
前記副のオーディオ信号を前記副のオーディオ信号の記録領域に記録するオーディオ記録系と、
前記オーディオ記録系の処理に対応して、前記編集リストに従って、前記ディスク状記録媒体をアクセスして、前記ディスク状記録媒体より前記編集結果のビデオ信号を間欠的に再生し、該再生したビデオ信号を連続して出力するビデオ再生系とを有し、
前記オーディオ記録系は、
前記副のオーディオ信号を一時蓄積するオーディオ信号記憶手段と、
前記オーディオ信号記憶手段に蓄積した前記副のオーディオ信号を外部機器に出力するオーディオ信号出力手段と、
前記オーディオ信号記憶手段に蓄積した前記副のオーディオ信号を前記ディスク状記録媒体に記録するオーディオ信号記録手段とを有する
ことを特徴とする編集装置。
【請求項１１】
前記ビデオ再生系は、
前記オーディオ信号記憶手段に前記副のオーディオ信号を一時蓄積する処理において、
又は前記オーディオ信号記憶手段に蓄積した前記副のオーディオ信号を前記出力手段により出力する処理において、
前記編集リストに従って、前記ディスク状記録媒体をアクセスして、前記ディスク状記録媒体より前記編集結果のビデオ信号を間欠的に再生し、該再生したビデオ信号を連続して出力する
ことを特徴とする請求項１０に記載の編集装置。
【請求項１２】
前記ビデオ再生系は、
前記再生したビデオ信号を一時保持するビデオ信号記憶手段と、
前記ビデオ信号記憶手段に一時保持したビデオ信号を出力するビデオ出力手段とを有し、
前記オーディオ信号記憶手段に前記副のオーディオ信号を一時蓄積する処理において、
又は前記オーディオ信号記憶手段に蓄積した前記副のオーディオ信号を前記出力手段により出力する処理において、
又は前記オーディオ信号記憶手段に一時蓄積した前記副のオーディオ信号を前記ディスク状記録媒体に記録する処理において、
前記副のオーディオ信号に対応する速度により、前記ビデオ信号記憶手段に一時保持したビデオ信号を出力する
ことを特徴とする請求項１０に記載の編集装置。
【請求項１３】
前記ビデオ再生系は、
前記再生したビデオ信号を一時保持するビデオ信号記憶手段と、
前記ビデオ信号記憶手段に一時保持したビデオ信号を出力するビデオ出力手段とを有し、
前記オーディオ信号記憶手段に前記副のオーディオ信号を一時蓄積する処理において、
又は前記オーディオ信号記憶手段に蓄積した前記副のオーディオ信号を前記出力手段により出力する処理において、
又は前記オーディオ信号記憶手段に一時蓄積した前記副のオーディオ信号を前記ディスク状記録媒体に記録する処理において、
前記副のオーディオ信号に対応する速度により、前記ビデオ信号記憶手段に一時保持したビデオ信号を出力する
ことを特徴とする請求項１１に記載の編集装置。
【請求項１４】
前記ディスク状記録媒体は、
着脱可能に保持され、所定の撮像装置に装填して、前記ビデオ信号及びオーディオ信号が記録可能に形成された
ことを特徴とする請求項１０に記載の編集装置。
【請求項１５】
前記ディスク状記録媒体は、
着脱可能に保持され、所定の撮像装置に装填して、前記ビデオ信号及びオーディオ信号が記録可能に形成された
ことを特徴とする請求項１１に記載の編集装置。
【請求項１６】
前記ディスク状記録媒体は、
着脱可能に保持され、所定の撮像装置に装填して、前記ビデオ信号及びオーディオ信号が記録可能に形成された
ことを特徴とする請求項１２に記載の編集装置。
【請求項１７】
前記ディスク状記録媒体は、
着脱可能に保持され、所定の撮像装置に装填して、前記ビデオ信号及びオーディオ信号が記録可能に形成された
ことを特徴とする請求項１３に記載の編集装置。
【請求項１８】
内周側と外周側とでほぼ等しい線記録密度によりビデオ信号及びオーディオ信号を記録するディスク状記録媒体をアクセスして、前記ディスク状記録媒体に記録されたビデオ信号を編集する編集方法であって、
前記ディスク状記録媒体を、内周側の線速度により回転駆動して、
前記ディスク状記録媒体の内周側に、前記ビデオ信号の編集リストのデータ、前記編集リストによる編集結果のビデオ信号に対応する副のオーディオ信号を記録し、
前記副のオーディオ信号の記録に対応して、前記編集リストに従って、前記ディスク状記録媒体の外周側をアクセスして、前記ディスク状記録媒体より前記編集結果のビデオ信号を間欠的に再生し、該再生したビデオ信号を連続して出力する
ことを特徴とする編集方法。
【請求項１９】
内周側と外周側とでほぼ等しい線記録密度によりビデオ信号を記録するディスク状記録媒体をアクセスして、前記ディスク状記録媒体に記録されたビデオ信号を編集する編集方法であって、
前記ディスク状記録媒体に前記ビデオ信号の編集リストのデータを記録し、
所定のオーディオ信号記憶手段を用いて、前記編集リストによる編集結果のビデオ信号に対応する副のオーディオ信号を編集し、前記ディスク状記録媒体に前記編集した副のオーディオ信号を記録し、
前記オーディオ信号記憶手段を用いた前記副のオーディオ信号の編集時、前記編集リストに従って、前記ディスク状記録媒体をアクセスして、前記ディスク状記録媒体より前記編集結果のビデオ信号を間欠的に再生し、該再生したビデオ信号を連続して出力する
ことを特徴とする編集方法。
【請求項２０】
前記再生したビデオ信号をビデオ信号記憶手段に一時保持し、
前記オーディオ信号記憶手段を用いた前記副のオーディオ信号の編集時、又は前記編集した副のオーディオ信号の記録時、
前記副のオーディオ信号に対応する速度により、前記ビデオ信号記憶手段に一時保持したビデオ信号を出力する
ことを特徴とする請求項１９に記載の編集方法。